【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】
複数の記録済みトラックを備えたテープを読取るテープ駆動装置のドラムに設けた読取りヘッドの可能化タイミングを調整する方法であって、
前記ドラムの1回転の絶対時間基準を表す参照インデックスマークを検出するステップ；
前記複数の記録済みトラックの各々について同じ位置に記録された中央制御パケットを検出するステップ； 
前記参照インデックスマークの検出と前記中央制御パケットの検出との間の相対時間を測定するステップ；及び
前記相対時間に基づいて前記読取りヘッドの可能化タイミングを調整するステップ
を含むことを特徴とする方法。
【請求項２】
請求項１記載の方法において、唯一の前記中央制御パケットは任意のトラック上に存在することを特徴とする方法。
【請求項３】
請求項１記載の方法において、前記相対時間に等しい時間だけ前記読取りヘッドの可能化タイミングを遅らせるステップを含むことを特徴とする方法。
【請求項４】
請求項１記載の方法において、前記相対時間が所定の時間閾値よりも長いことを示すステップを含むことを特徴とする方法。
【請求項５】
テープ駆動装置において供給リールからの供給リールタコメータカウントと巻取りリールからの巻取りリールカウントの機能を備えるリールタコメータを調整するための方法であって、
前記テープ駆動装置により読取られるテープの複数の記録済みトラックの各々について同じ位置に記録された中央制御パケットであって、該中央制御パケットが前記テープに記録されたときの前記リールタコメータカウントを表す記録済みリールカウントを備える中央制御パケットを検出するステップ； 
前記記録済みリールカウントを抽出するステップ；及び
前記リールカウントを前記記録済みリールカウントに設定するステップ
を含むことを特徴とする方法。
【請求項６】
複数の記録済みトラックを備えたテープを読取るテープ駆動装置においてファイルマークの位置を監視する方法であって、
前記複数の記録済みトラックの各々について同じ位置に記録された中央制御パケットであって、前記テープの現在位置まで該テープに記録されたファイルマークの数を表す記録済みファイルマークカウントを備える中央制御パケットを検出するステップ；及び
前記ファイルマークカウントを抽出するステップ
を含むことを特徴とする方法。
【請求項７】
請求項６記載の方法において、
前記記録済みファイルマークカウントをファイル検索アルゴリズムへ送信するステップを含むことを特徴とする方法。
【請求項８】
磁気的再生装置において磁気媒体の位置決めを監視及び／又は調整するための方法であって、前記磁気媒体は複数のトラックを備え、各トラックは複数のディジタルトラックパケットを備え、各パケットは少なくとも１つのトラックパケット型フィールドを有し、該トラックパケット型フィールドは、少なくとも１つの中央制御パケット型とデータ型とを含む複数のトラックパケット型の１つを備え、前記トラックパケット型フィールドが前記中央制御パケット型を備えるときは、前記トラックパケットのトラックパケットデータフィールドは、前記トラックパケットが前記磁気媒体に記録された時に前記磁気媒体の位置決めパラメータの値を表すディジタル位置決めパラメータを少なくとも１つ備え、前記中央制御パケット型を備えたトラックパケット型フィールドを有する全てのトラックパケットは、前記磁気媒体上の複数の記録済みトラックに沿って同一の位置で記録されるものであり、前記方法は、
トラックパケットを検出するステップ；
前記トラックパケットと関連するトラックパケット型フィールドからトラックパケット型を抽出するステップ； 
該トラックパケット型が中央制御パケット型であるとき、
前記トラックパケットの前記トラックパケットデータフィールドから前記ディジタル位置決めパラメータを抽出するステップ；及び
前記抽出したディジタル位置決めパラメータに基づいて前記磁気媒体の位置決めパラメータを調整するステップ
を含むことを特徴とする方法。
【請求項９】
請求項８記載の方法において、
前記ディジタル位置決めパラメータは、記録済みファイルマークカウントであり、該記録済みファイルマークカウントは、前記テープの現在位置まで該テープに記録されたファイルマークの数を表していることを特徴とする方法。
【請求項１０】
請求項８記載の方法において、
前記ディジタル位置決めパラメータは、記録済みリールタコメータカウントであり、該記録済みリールタコメータカウントは、前記中央制御パケットが前記テープに記録されたときの前記リールタコメータカウントを表していることを特徴とする方法。
【請求項１１】
ディジタル再生装置において磁気媒体の位置決めの監視及び／又は調整を可能にするための方法であって、前記磁気媒体は複数のトラックを備え、各トラックは複数のディジタルトラックパケットを備え、各パケットは、少なくとも１つのトラックパケット型フィールドとトラックパケットデータフィールドとを備え、該トラックパケット型フィードは、少なくとも１つの中央制御パケット型とデータ型とを含む複数のトラックパケット型の１つを備え、前記トラックパケット型フィールドが前記中央制御パケット型を備えるとき、前記トラックパケットのトラックパケットデータフィールドは、前記トラックパケットが前記磁気媒体に記録された時に前記磁気媒体の位置決めパラメータの値を表すディジタル位置決めパラメータを少なくとも１つ備え、前記中央制御パケット型を備えたトラックパケット型フィールドを有する全てのトラックパケットは、前記磁気媒体上の複数の記録済みトラックに沿って同一の位置で記録されるものであり、前記方法は、
前記磁気媒体上に記録された各トラックについて同じ位置で、前記中央制御パケット型に設定されたトラックパケット型フィールドと、磁気媒体位置決め制御パラメータに関連して前記ディジタル再生装置によって読み出し可能なディジタル位置決めパラメータを少なくとも１つ備えるトラックパケットデータフィールドとを有するトラックパケットを備える中央制御パケットを記録すること
を特徴とする方法。
【請求項１２】
請求項１１記載の方法において、
前記中央制御パケットは、記録済みファイルマークカウントを備え、該記録済みファイルマークカウントは、前記磁気媒体の現在位置まで該磁気媒体に記録されたファイルマークの数を表していることを特徴とする方法。
【請求項１３】
請求項１１記載の方法において、
前記中央制御パケットは、記録済みリールタコメータカウントを備え、該記録済みリールタコメータカウントは、前記中央制御パケットが前記磁気媒体に記録されたときの前記リールタコメータカウントを表していることを特徴とする方法。
【請求項１４】
請求項１１記載の方法において、
前記中央制御パケットは、前記ディジタル再生装置により発生した参照インデックスマークから相対距離隔てた位置にあり、
前記ディジタル再生装置は、前記相対距離を計測し、該相対距離に基づいて前記磁気媒体に亘って読取ヘッドの可能化のタイミングを調整することを特徴とする方法。
【請求項１５】
ディジタル再生装置のための磁気媒体であって、該磁気媒体上に記録された  複数のトラックを備え、各トラックは、
少なくとも１つの中央制御パケット型とデータ型とを含む複数のトラックパケット型の１つを備えるトラック型フィールドと、
前記トラックパケット型フィールドが前記中央制御パケット型を備えるとき、前記トラックパケットが前記磁気媒体に記録された時に前記磁気媒体の位置決めパラメータの値を表すディジタル位置決めパラメータを少なくとも１つ備えるトラックパケットデータフィールドとを備え、
前記中央制御パケット型を備えたトラックパケット型フィールドを有する全てのトラックパケットは、前記磁気媒体上の複数の記録済みトラックに沿って同一の位置で記録されることを特徴とする磁気媒体。
【請求項１６】
請求項１５記載の磁気媒体において、
前記中央制御パケットは、記録済みファイルマークカウントを備え、該記録済みファイルマークカウントは、前記磁気媒体の現在位置まで当該磁気媒体に記録されたファイルマークの数を表していることを特徴とする磁気媒体。
【請求項１７】
請求項１５記載の磁気媒体において、
前記中央制御パケットは、記録済みリールタコメータカウントを備え、該記録済みリールタコメータカウントは、前記中央制御パケットが当該磁気媒体に記録されたときの前記リールタコメータカウントを表していることを特徴とする磁気媒体。
【請求項１８】
請求項１５記載の磁気媒体において、
前記中央制御パケットは、前記ディジタル再生装置により発生した参照インデックスマークから相対距離隔てた位置にあり、
前記ディジタル再生装置は、前記相対距離を計測し、該相対距離に基づいて当該磁気媒体に亘って読取ヘッドの可能化のタイミングを調整することを特徴とする磁気媒体。